(57)【特許請求の範囲】
【請求項１】
軸筒後部にインクを直に貯溜するインク室を有し、かつ軸筒前方にインク室と直に繋がった縦溝及び該縦溝に連通するインク保留溝を有するインク保溜体を装着したインク直接貯溜方式の筆記具において、インク室のインクをペン先に供給するインク誘導芯を付設させるための貫通孔が形成されたインク保溜体の側面部には、上記貫通孔に連通する通気孔を径方向で縦溝と異なる位置に設け、上記通気孔は外気と連通することを特徴とするインク保溜体を備えた筆記具。
【発明の詳細な説明】
【０００１】
【発明の属する技術分野】
本発明は、軸筒後部にインクを直に貯溜するインク室を有し、かつ軸筒前方にインク保溜体を装着してなるインク直接貯溜方式のインク保溜体を備えた筆記具に関する。
【０００２】
【従来の技術】
一般に、インク直接貯溜方式の筆記具は、インクを中綿等に吸蔵させないで直接貯溜するインク室を有し、また、インク室内の空気が温度上昇等によって膨張した場合にインク室から押し出されるインクをペン先や空気孔からボタ落ちさせないために一時的に保溜するインク保溜体を備えており、マーキングペン、ボールペンなどに適用されている。
また、このインク直接貯溜方式における筆記具に用いるインクとしては、通常、顔料及び／又は染料からなる着色剤、エチレングリコール、グリセリン、プロピレングリコールなどの溶剤、水及びその他の筆記具用添加剤を含有した水性インクなどから構成されている。
【０００３】
従来における筆記具のインク保溜体は、インク室のインクをペン先に供給するためのインク誘導芯がインク保溜体の貫通孔に付設されており、インク誘導芯はインク保溜体の貫通孔の後部では圧入又は多少の隙間をもって装着され、筆記具の組立直後に下向き又は横向きにするとインク保溜体の後部とインク誘導芯の後部がインクで濡れインク保溜体は後部がインクでシールされる状態となる。
【０００４】
これにより貫通孔内は、ペン先を経てのみ外気と通じることになり、インク室のインクがインク誘導芯の毛管を伝わりペン先に達するとき、インク誘導芯の毛管内の空気を前方へ押し、押された空気はペン先先端から排出され、最終的にインク誘導芯の空間、すなわち毛管はインクで充満されて筆記可能となる。
しかしながら、このような状態になると、特に、ペン先がボールペン等の場合、ペン先支持とチップのところもインクで満たされるため、インク保溜体の貫通孔とインク誘導芯の隙間は閉空間となる。
【０００５】
このような状態で、上記筆記具を室内又は室外等での０℃以下の雰囲気下で放置等すると、該筆記具内の水性インクは凍結していくこととなる。この凍結による体積膨張により、ペン先を汚すといった不具合が生じるという課題がある。
【０００６】
また、従来のインク保溜体では、筆記具組立直後のインク室からインク誘導芯を経てペン先にインクが行くまでインク誘導芯内の空気をペン先先端から押し出さなければならず、特に、ペン先がボールペンの場合、ボールとボールを抱えているホルダーとの隙間が小さく、後部からインクで押し出される空気が抜けにくく、インクがペン先先端までに来るのに時間がかかり、筆記具組立後の筆記検査までの時間が長くなり、筆記具の組立速度を上げても、この間題で総合的な組立速度が上げられない点に課題がある。
更に、組立速度を上げようとして、組み立て後の筆記具をインクがペン先に来るまで一時的に滞留させることも考えられるが、組立機が複雑になるといった課題がある。
【０００７】
【発明が解決しようとする課題】
本発明は、上記従来の課題等に鑑み、これを解消しようとするものであり、０℃以下の雰囲気下でインク直接貯溜方式の筆記具を放置等した場合にも、インクに含まれる溶剤等がペン先から押し出されることによるペン先の汚れを防止し、かつ、組立機の簡素化及び生産性を向上することができるインク保溜体を備えた筆記具を提供することを目的とする。
【０００８】
【課題を解決するための手段】
本発明者らは、上記従来の課題等について、鋭意検討した結果、インク室のインクをペン先に供給するインク誘導芯を付設させるための貫通孔が形成されたインク保溜体の側面部等を特定構造とすることにより、上記目的のインク保溜体を備えた筆記具が得られることを見い出し、本発明を完成するに至ったのである。
すなわち、本発明のインク保溜体を備えた筆記具は、軸筒後部にインクを直に貯溜するインク室を有し、かつ軸筒前方にインク室と直に繋がった縦溝及び該縦溝に連通するインク保留溝を有するインク保溜体を装着したインク直接貯溜方式の筆記具において、インク室のインクをペン先に供給するインク誘導芯を付設させるための貫通孔が形成されたインク保溜体の側面部には、上記貫通孔に連通する通気孔を径方向で縦溝と異なる位置に設け、上記通気孔は外気と連通することを特徴とする。
【０００９】
【発明の実施の形態】
以下に、本発明の実施の形態を図面に基づき詳しく説明する。
図１〜図４は、本発明の実施形態の一例を示したものである。
本実施形態に用いる筆記具Ｐは、ボールペンに適用した場合であり、図１に示すように、軸筒１の後部をインク室２となし、前方にはインク保溜体５が装着され、このインク保溜体５の先にはペン先１０がペン先支持部９を介して装着されている。
【００１０】
インク保溜体５は、図１及び図２に示すように、外周面に多数形成された周溝を保溜溝３とし、この保溜溝３を連通させる縦溝４が形成されている。この縦溝４は、インク室２に通じており、インク室２内の空気が温度変化等で膨張しインクをインク室２から押しだそうとしたとき、ペン先１０からインクをボタ落ちさせないようにこの縦溝４を経て保溜溝３に一時的に溜め、また、インク室２の空気が収縮し元の状態に戻ったときは保溜溝３のインクはインク室２に戻る機能をなしている。
【００１１】
上記インク保溜体５の中心部には、軸方向に貫通孔６が形成され、この貫通孔６にインク誘導芯８が該貫通孔６の後部（インク室側）では圧入嵌合か又は多少の隙間をもって貫装されている。更に、このインク誘導芯８の先端は、ペン先１０に接続されてインク室２のインクをペン先１０に供給するようになっている。
【００１２】
また、図１及び図３に示すように、インク室２のインクをペン先１０に供給するインク誘導芯８を付設させるための貫通孔６が形成されたインク保溜体５の側面部には、上記貫通孔６に連通する通気孔７が設けられている。本実施形態では、インク保溜体５に多数形成した保溜溝３の先端部分となる側面部に、上記貫通孔６に連通する通気孔７を設けてあり、また、通気孔７の個数は図３に示すように、３つからなっている。なお、通気孔７は、図３から明らかなように、インク保溜体５の側面部に、貫通孔６に連通する通気孔７であり、該通気孔７は径方向で縦溝４と異なる位置に設けたものである。
【００１３】
上記インク保溜体５の貫通孔６に貫装等されたインク誘導芯８は、細い繊維を多数束ね樹脂等で接着し棒状に形成されたものであり、インクをインク室２からペン先１０に送給するための毛細管が軸方向に形成され、その毛細管は個々に連通すると共に、外周面から外へとも通気している。
また、本実施形態では、インク室２のインクは、顔料及び／又は染料からなる着色剤、エチレングリコール、グリセリン、プロピレングリコールからなる溶剤、水及びその他の筆記具用添加剤（分散剤、防錆剤等）を含有した水性インクから構成されている。
なお、図示符号１２は、軸筒１とペン先支持部９とを取り付けるための先軸部材である。
【００１４】
このように構成された本実施形態の筆記具Ｐにおいて、組立初期、まずインク室２のインクは、インク誘導芯８の後部から、該インク誘導芯８の毛管を伝わり、中の空気を押し出しながらペン先１０に達する。この時、インク室２のインクがインク保溜体５の後部に濡れると、貫通孔６とインク誘導芯８の間に多少の隙間が有ったとしても、インクがシール剤になり空気の流通はできなくなる。このため、インク誘導芯８の後部から前方ヘインクが伝わる時、インク誘導芯８内の空気がインクにより押し出されることとなる。この押し出される空気は、少なくともペン先支持部９のインク誘導芯８との空隙が無くなる所にインクが達するまではインク誘導芯８の外周面を通りインク保溜体５の側面に形成された通気孔７からインク保溜体５の外側に排出され、更に通気路１１を経て外に排出されることとなる。その後、インクで押し出されるインク誘導芯８内の空気は、ペン先１０の狭い隙間から排出されることになる。
【００１５】
従って、このインク保溜体５を備えた筆記具Ｐでは、インク保溜体５の側面部に、上記貫通孔６に連通する通気孔７を設けることにより、組立後のインク誘導芯８に入ってくるインクにより押される空気を通気孔７から排出させ、インク室２からインク誘導芯８を経てペン先１０までに行くインクの到達時間を短縮することができるものとなる。これにより、筆記具組立後から筆記検査までの時間が短くなりインクがペン先に来るまで筆記具を長い時間滞留させるための機構が不要となり組立機が簡素化され生産性も向上することとなる。
【００１６】
また、このインク保溜体５を備えた筆記具Ｐを室内又は室外等での０℃以下の雰囲気下で放置等したときに、該筆記具Ｐ内の水性インクが凍結し体積膨張しても、該体積膨張を上記インク保溜体５の側面部に形成した通気孔７からインク保溜体５の外側に排出することができるので、ペン先から押し出さないようにすることができ、ペン先を汚すこともなくなるものとなる。
【００１７】
本発明のインク保溜体を備えた筆記具は、上述のように構成されるものであるが、本発明は上記実施形態に限定されるものではなく、本発明の要旨を変更しない範囲で種々変更して適用することができる。
すなわち、本発明の要旨は、インク保溜体を備えた筆記具において、インク室のインクをペン先に供給するインク誘導芯を付設させるための貫通孔が形成されたインク保溜体の側面部に、上記貫通孔に連通する通気孔を設けることにより、▲１▼上述の如く、組立初期におけるインク室からインク誘導芯を経てペン先までに行くインクの到達時間を短縮せしめることにより、組立機の簡素化及び生産性を向上させること、▲２▼上述の如く、筆記具内のインクが凍結し始める０℃以下の雰囲気下で放置等したときにも、インク中含まれる水分の凍結による体積膨張が起きても、ペン先の汚れを防止すること、などを達成するものであるから、本発明の要旨に関係ない構成、例えば、軸筒、インク誘導芯などの形状及び構造は、特に限定されるものではなく、また、上記▲１▼及び▲２▼の作用効果等を達成できるものであれば、インク保溜体の側面部に設ける通気孔の設置箇所、形状及びその数も特に限定されるものではない。
【００１８】
【発明の効果】
以上のように構成され、作用する本発明のインク保溜体を備えた筆記具によれば、筆記具内のインクが凍結し始める０℃以下の雰囲気下で放置等した場合にも、ペン先の汚れを防止することができると共に、組立機の簡素化及び生産性を向上させることができる。
【図面の簡単な説明】
【図１】本発明の実施形態の一例を示す筆記具の縦断面図である。
【図２】図１のＡ−Ａ縦断面図である。
【図３】図１のＢ−Ｂ断面図である。
【図４】図１のＣ−Ｃ断面図である。
【符号の説明】
Ｐ    筆記具
１    軸筒
２    インク室
３    インク保溜溝
４    縦溝
５    インク保溜体
６    貫通孔
７    通気孔
８    インク誘導芯
９    ペン先支持部
１０  ペン先
１１  通気路
【図１】
0004212714.tif 000002
【図２】
0004212714.tif 000003
【図３】
0004212714.tif 000004
【図４】
0004212714.tif 000005